(57)【要約】【課題】  後部座席（リアシート）でも、曲目を見ながら選曲又は放送局の周波数を見ながら選局することができるようにすることを目的とする。【解決手段】  再生装置本体５とこの再生装置本体５を制御できる操作部２を設けると共に表示部３を設けたフロントパネル１とを有する再生装置において、このフロントパネル１とこの再生装置本体５とを着脱自在とすると共にこの再生装置本体５とこのフロントパネル１との間で無線双方向通信ができるようにし、このフロントパネル１をこの再生装置本体５より取り外したときに、このフロントパネル１がこの再生装置本体５をリモートコントロールすることができるようにしたものである。【選択図】        図１
2005166145.tif 000002
【特許請求の範囲】
【請求項１】
再生装置本体と、該再生装置本体を制御できる操作部を設けると共に表示部を設けたフロントパネルとを有する再生装置において、
前記フロントパネルと前記再生装置本体とを着脱自在とすると共に前記再生装置本体と前記フロントパネルとの間で無線双方向通信ができるようにし、前記フロントパネルを前記再生装置本体より取り外したときに、前記フロントパネルが前記再生装置本体をリモートコントロールすることができるようにしたことを特徴とする再生装置。
【請求項２】
請求項１記載の再生装置において、
前記フロントパネルに動作電源を設けたことを特徴とする再生装置。
【請求項３】
請求項２記載の再生装置において、
前記動作電源は２次電池であり、前記フロントパネルを前記再生装置本体より取り外したときに放電状態となり、前記フロントパネルを前記再生装置本体に装着したときに充電状態となるようにしたことを特徴とする再生装置。
【請求項４】
請求項１記載の再生装置において、
前記フロントパネルは複数の面に操作部及び表示部を有することを特徴とする再生装置。
【発明の詳細な説明】
【技術分野】
【０００１】
本発明は車載用再生装置に適用して好適な再生装置に関する。
【背景技術】
【０００２】
従来、再生装置例えば車載用の再生装置においては、図４に示す如くＣＤプレーヤ７の選曲やＡＭ・ＦＭラジオ受信機８の選局はフロントパネル１の操作部２で行うと共にこのフロントパネル１の液晶表示装置等より成る表示装置３で選曲の表示や放送局の周波数の表示等を行っており、この操作部２及び表示装置３はこの再生装置本体５に固定されていた。
【０００３】
即ち、フロントパネル１のキー装置等より成る操作部２で選曲又は選局操作された選曲情報、選局情報は表示パネルマイコン４を介して再生装置本体５のマイコン６に供給されＣＤプレーヤ７における選曲又はＡＭ・ＦＭラジオ受信機８における選局を行うと共に再生装置本体マイコン６より送られて来るＣＤプレーヤ７よりの選曲情報又はＡＭ・ＦＭラジオ受信機８よりの選局情報を表示パネルマイコン４を介して表示装置３に供給して曲名等又はラジオ放送局の周波数等の所定の表示を行う如くしていた。
【０００４】
図４において、９は再生用スピーカ、１０は、自動車に設けられた電源に接続する電源端子を示し、この電源端子１０に得られる電源をフロントパネル１の表示装置３、表示パネルマイコン４、再生装置本体５の再生装置本体マイコン６、ＣＤプレーヤ７、ＡＭ・ＦＭラジオ受信機８等に供給する如くしている。
【０００５】
また従来、特許文献１に車載用音響装置の盗難を防止するため、音響装置本体を目隠し、この音響装置本体をリモートコントロール機で制御するようにすると共にこのリモートコントロール機を着脱自在に支持する着脱ユニットを運転中のドライバーの操作範囲でかつ視野内の車両に固定するようにしたものが提案されている。
【特許文献１】特開平８−１３０４８６号公報
【発明の開示】
【発明が解決しようとする課題】
【０００６】
然しながら、従来の車載用の再生装置においては、前座席（フロントシート）の人は操作部２の操作により選曲又は選局等を行うことができるが後部座席（リアシート）での曲目を見ながらの選曲又は放送局の周波数を見ながらの選局はできない不都合があった。
【０００７】
また特許文献１においても、リモートコントロール機からの信号は着脱ユニットのコネクタを介して音響装置本体に伝送されるので、後部座席（リアシート）での選曲又は選局等ができない不都合があった。
【０００８】
本発明は斯る点に鑑み、後部座席（リアシート）でも、曲目を見ながら選曲又は放送局の周波数を見ながら選局することができるようにすることを目的とする。
【課題を解決するための手段】
【０００９】
本発明再生装置は、再生装置本体と、この再生装置本体を制御できる操作部を設けると共に表示部を設けたフロントパネルとを有する再生装置において、このフロントパネルとこの再生装置本体とを着脱自在とすると共にこの再生装置本体とこのフロントパネルとの間で無線双方向通信ができるようにし、このフロントパネルをこの再生装置本体より取り外したときにこのフロントパネルがこの再生装置本体をリモートコントロールすることができるようにしたものである。
【発明の効果】
【００１０】
本発明によれば再生装置本体を制御できる操作部を設けると共に表示部を設けたフロントパネルをこの再生装置本体と着脱自在とすると共にこの再生装置本体とこのフロントパネルとの間で無線双方向通信ができるようにしたので、このフロントパネルをこの再生装置本体より取り外し、後部座席（リアシート）等で操作することにより、後部座席（リアシート）等で曲目を見ながら選曲又は放送局の周波数を見ながら選局することができる。
【発明を実施するための最良の形態】
【００１１】
以下図１〜図３を参照しながら本発明再生装置を実施するための最良の形態の例につき説明する。この図１において、図４に対応する部分には同一符号を付して示す。
【００１２】
図１例において、５は再生装置本体を示し、この再生装置本体５は、図２に示す如く、自動車の前部のダッシュボードの下部等に収納固定される。この再生装置本体５には、ＣＤプレーヤ７、ＡＭ・ＦＭラジオ受信機８等が設けられており、このＣＤプレーヤ７、ＡＭ・ＦＭラジオ受信機８等は再生装置本体マイコン６の指令に従って制御され、所定の動作を行う如くなされている。また、９はＣＤプレーヤ７、ＡＭ・ＦＭラジオ受信機８より再生音を得るスピーカである。
【００１３】
また図１例において、１はフロントパネルを示し、このフロントパネル１にはＣＤプレーヤ７、ＡＭ・ＦＭラジオ受信機８等の所定の動作を制御する操作部２が設けられている。この操作部２にはキースイッチ、回転スイッチ、タッチスイッチ等の操作子が設けられている。
【００１４】
またこのフロントパネル１には液晶表示装置等より成る表示装置３が設けられており、この表示装置３は表示パネルマイコン４の指令に従いＣＤプレーヤ７の選曲の曲名による表示やＡＭ・ＦＭラジオ受信機の放送局の周波数の表示等種々の表示を行う如くなされている。
【００１５】
本例においては、このフロントパネル１を再生装置本体５より取り外しができる如く着脱自在に構成すると共にこの再生装置本体５とフロントパネル１との間で無線双方向通信ができるようにする。
【００１６】
本例においては、赤外線により双方向通信ができるようにする。即ち操作部２よりの操作情報を表示パネルマイコン４を介してフロントパネル１に設けた通信部１１の赤外線発光ダイオード１１ａに供給し、この赤外線発光ダイオード１１ａより操作情報に応じた赤外線信号を再生装置本体５に設けた通信部１２の受光ダイオード１２ｂを介して再生装置本体５の再生装置本体マイコン６に供給する。
【００１７】
この再生装置本体マイコン６は、この操作情報に応じて、ＣＤプレーヤ７、ＡＭ・ＦＭラジオ受信機８を動作させる如く制御する。
【００１８】
またＣＤプレーヤ７、ＡＭ・ＦＭラジオ受信機８よりの曲名、受信放送局の周波数等の再生装置本体情報を再生装置本体マイコン６より通信部１２の赤外線発光ダイオード１２ａに供給し、この赤外線発光ダイオード１２ａより再生装置本体情報に応じた赤外線信号をフロントパネル１に設けた通信部１１の受光ダイオード１１ｂを介して表示パネルマイコン４に供給する。
【００１９】
この表示パネルマイコン４はこの再生装置本体情報に応じて、この表示装置３に表示する如くする。
【００２０】
また本例においては自動車の電源に接続する電源端子１０に得られる電源を再生装置本体５の再生装置本体マイコン６、ＣＤプレーヤ７、ＡＭ・ＦＭラジオ受信機８、通信部１２等の再生装置本体５側に供給すると共にこの再生装置本体５に設けたコネクタ１３に供給する。
【００２１】
図２は再生装置本体５にフロントパネル１が装着された状態を示し、このときは再生装置本体５とフロントパネル１との間は通信部１２と通信部１１との間で無線双方向通信を行うと共に電源端子１０に接続されたコネクタ１３がフロントパネル１に設けたコネクタ１４と接続され、電源端子１０よりの電源がフロントパネル１の表示装置３、表示パネルマイコン４、通信部１１等のフロントパネル１側にも供給される。
【００２２】
また本例においては、このフロントパネル１にリチウムイオン電池等の２次電池１５を設け、このフロントパネル１が図３に示す如く再生装置本体１より取り外したときに、この２次電池１５よりの電源を表示装置３、表示パネルマイコン４、通信部１１等のフロントパネル１側に供給する如くする。
【００２３】
また本例においてはこのフロントパネル１が再生装置本体５に装着されているときには、電源端子１０よりの電源が充電回路１６に供給され、この充電回路１６により、この２次電池１５を充電する如くする。
【００２４】
本例は上述の如く構成されているので、このフロントパネル１を再生装置本体５に装着したときは、このフロントパネル１の操作部２でＣＤプレーヤ７の選曲操作又はＡＭ・ＦＭラジオ受信機８の選局操作をしたときは、その選曲情報又は選局情報は表示パネルマイコン４、通信部１１、通信部１２を介して再生装置本体５のマイコン６に供給され、ＣＤプレーヤ７における選曲又はＡＭ・ＦＭラジオ受信機８における選局を行う。
【００２５】
また再生装置本体マイコン６に得られるＣＤプレーヤ７よりの選曲情報等又はＡＭ・ＦＭラジオ受信機８より選局情報等の再生装置本体情報は通信部１２、通信部１１、表示パネルマイコン４を介して表示装置３に供給され、曲名等又はラジオ放送局の周波数等の所定の表示が行われる。また操作部２でその他の操作をしたときも同様である。
【００２６】
このときは再生装置本体５側及びフロントパネル１側に電源端子１０よりの電源が供給され、２次電池１５は充電される。
【００２７】
また本例において、フロントパネル１を取り外し、例えば後部座席（リアシート）等でこのフロントパネル１の操作部２でＣＤプレーヤ７の選曲操作又はＡＭ・ＦＭラジオ受信機８の選局操作をしたときは、その選曲情報又は選局情報は表示パネルマイコン４、通信部１１、通信部１２を介して再生装置本体５のマイコン６に供給され、この再生装置本体マイコン６はＣＤプレーヤ７における選曲又はＡＭ・ＦＭラジオ受信機８における選局を行う。
【００２８】
またこの再生装置本体マイコン６に得られるＣＤプレーヤ７よりの選曲情報等又はＡＭ・ＦＭラジオ受信機８よりの選局情報等の再生装置本体情報は通信部１２、通信部１１、表示パネルマイコン４を介して表示装置３に供給され、曲名等又はラジオ放送局の周波数等の所定の表示が行われる。
また、操作部２で、その他の操作をしたときも同様である。
【００２９】
このときは再生装置本体５側は電源端子１０よりの電源が供給され、フロントパネル１側は２次電池１５の放電による電源が供給される。
【００３０】
従って本例によれば、後部座席（リアシート）等で曲目を見ながら選曲又は放送局の周波数を見ながら選局できる。
【００３１】
尚上述例ではフロントパネル１の一面に操作部２及び表示装置３を設けた例につき述べたが、必要に応じこのフロントパネル１の両面に操作部２及び表示装置３を設けるようにしても良い。
【００３２】
また、本発明は上述例に限ることなく本発明の要旨を逸脱することなく、その他種々の構成が採り得ることは勿論である。
【図面の簡単な説明】
【００３３】
【図１】本発明再生装置を実施するための最良の形態の例を示す構成図である。
【図２】本例による再生装置本体にフロントパネルを装着した状態を示す斜視図である。
【図３】本例による再生装置本体よりフロントパネルを取り外した状態を示す斜視図である。
【図４】従来の再生装置の例を示す構成図である。
【符号の説明】
【００３４】
１‥‥フロントパネル、２‥‥操作部、３‥‥表示装置、４‥‥表示パネルマイコン、５‥‥再生装置本体、６‥‥再生装置本体マイコン、７‥‥ＣＤプレーヤ、８‥‥ＡＭ・ＦＭラジオ受信機、１０‥‥電源端子、１１，１２‥‥通信部、１３，１４‥‥コネクタ、１５‥‥２次電池、１６‥‥充電回路
【図１】
2005166145.tif 000003
【図２】
2005166145.tif 000004
【図３】
2005166145.tif 000005
【図４】
2005166145.tif 000006